(57)【要約】      （修正有）【課題】光電システムに設置可能なフレームワーク機構を提供する。【解決手段】光電システムに設置可能なフレームワーク機構であって、ケーシング１０と、該ケーシング内に設置された光学モジュール素子１２と、第一のフレキシブル回路基板１６ａ及び複数の発光素子１６ｂを含み、複数の発光素子が該第一のフレキシブル回路基板の一端面に設置され、該第一のフレキシブル回路基板の他端に複数の第一の電気接点が設置されるインジケータライト素子１６と、該ケーシング内に設置され、且つ複数の第二の電気接点及び複数の第三の電気接点が設置され、複数の第二の電気接点が複数の第一の電気接点に接続され、複数の第三の電気接点が導線を介して該光学モジュール素子に接続される回路基板１４とを備える。【選択図】図１Ｂ
0003226002.tif 000002
【実用新案登録請求の範囲】
【請求項１】
光電システムに設置可能なフレームワーク機構であって、
ケーシングと、
該ケーシング内に設置された光学モジュール素子と、
第一のフレキシブル回路基板及び複数の発光素子を含み、前記複数の発光素子が該第一のフレキシブル回路基板の一端面に設置され、該第一のフレキシブル回路基板の他端に複数の第一の電気接点が設置されるインジケータライト素子と、
該ケーシング内に設置され、且つ複数の第二の電気接点及び複数の第三の電気接点が設置され、前記複数の第二の電気接点が前記複数の第一の電気接点に接続され、前記複数の第三の電気接点が導線を介して該光学モジュール素子に接続される回路基板とを備える、前記フレームワーク機構。
【請求項２】
該発光素子は多色ＬＥＤ発光素子を含むことを特徴とする
請求項１に記載のフレームワーク機構。
【請求項３】
該光学モジュール素子は光送受信機を含むことを特徴とする
請求項１に記載のフレームワーク機構。
【請求項４】
該光学モジュール素子は光送信機を含むことを特徴とする
請求項１に記載のフレームワーク機構。
【請求項５】
該ケーシングの側壁内に複数のスルーホールが設置され、且つ前記複数のスルーホールのそれぞれにライトガイドコラムが設置され、前記複数のスールホールの一端がその前端に位置し、前記複数のスールホールの他端が該発光素子に対応し、該発光素子が光信号を発する場合、該ライトガイドコラムを介して該光信号を該ケーシングの前端に伝送することを特徴とする
請求項１に記載のフレームワーク機構。
【請求項６】
該ライトガイドコラムの材質は透明なポリマーであることを特徴とする
請求項５に記載のフレームワーク機構。
【請求項７】
該ケーシングの第一の側壁内に複数の第一のスールホールが設置され、前記複数の第一のスールホールが該第一のフレキシブル回路基板の貫通に使用可能で、これにより、該第一のフレキシブル回路基板における前記複数の発光素子が該ケーシングの前端に設置されることを特徴とする
請求項１に記載のフレームワーク機構。
【請求項８】
該ケーシングは前記複数の発光素子を露出するための複数の第二のスールホールを有することを特徴とする
請求項７に記載のフレームワーク機構。
【請求項９】
プルロッドとスライドブロックをさらに備え、該プルロッドが該ケーシングの前端に枢動可能に接続され、該プルロッドが該ケーシングに対して回転することができ、該スライドブロックが該ケーシングに設置されてもよく、該スライドブロックに一つのスールホールを有し、該プルロッドのバンプが設置されてもよく、該プルロッドが該ケーシングに対して回転することができる場合、該バンプが該スライドブロックを押して移動することを特徴とする
請求項１に記載のフレームワーク機構。
【請求項１０】
該回路基板は外部回路に接続するための複数の第三の電気接点をさらに含むことを特徴とする
請求項１に記載のフレームワーク機構。
【請求項１１】
該ケーシングの外面に設置され、一端がケーシングの第一の側壁に係合され、他端に該第一のフレキシブル回路基板を覆うためのカバーがあるコ字形のバックルピースをさらに備えることを特徴とする
請求項１に記載のフレームワーク機構。
【請求項１２】
該ケーシングの外面に設置され、一端がケーシングの第二の側壁に係合され、他端に該第一の側壁に位置する該第一のフレキシブル回路基板を覆うためのカバーがあるコ字形のバックルピースをさらに備えることを特徴とする
請求項７に記載のフレームワーク機構。
【請求項１３】
光電システムに設置可能なフレームワーク機構であって、
側壁内に複数の第一のスルーホールが設置され、且つ前記複数の第一のスルーホールのそれぞれにライトガイドコラムが設置され、前記複数の第一のスルーホールの一端が該ケーシングの前端に位置するケーシングと、
該ケーシング内に設置された光学モジュール素子と、
第一のフレキシブル回路基板及び複数の発光素子を含み、前記複数の発光素子が該第一のフレキシブル回路基板の一端面に設置され、該第一のフレキシブル回路基板の他端に複数の第一の電気接点が設置され、前記複数の発光素子がそれぞれ前記複数の第一のスールホールに対応するインジケータライト素子と、
該ケーシング内に設置され、且つ複数の第二の電気接点及び複数の第三の電気接点が設置され、前記複数の第二の電気接点が前記複数の第一の電気接点に接続され、前記複数の第三の電気接点が導線を介して該光学モジュール素子に接続される回路基板とを備える、前記フレームワーク機構。
【請求項１４】
該発光素子は多色ＬＥＤ発光素子を含むことを特徴とする
請求項１３に記載のフレームワーク機構。
【請求項１５】
該光学モジュール素子は光送受信機を含むことを特徴とする
請求項１３に記載のフレームワーク機構。
【請求項１６】
該光学モジュール素子は光送信機を含むことを特徴とする
請求項１３に記載のフレームワーク機構。
【請求項１７】
該ライトガイドコラムの材質は透明なポリマーであることを特徴とする
請求項１３に記載のフレームワーク機構。
【請求項１８】
プルロッドとスライドブロックをさらに備え、該プルロッドが該ケーシングの前端に枢動可能に接続され、該プルロッドが該ケーシングに対して回転可能で、該スライドブロックが該ケーシングに設置されてもよく、該スライドブロックに一つのスールホールを有し、該プルロッドのバンプが設置されてもよく、該プルロッドが該ケーシングに対して回転することができる場合、該バンプが該スライドブロックを押して移動することを特徴とする
請求項１３に記載のフレームワーク機構。
【請求項１９】
該回路基板は外部回路に接続するための複数の第三の電気接点をさらに含むことを特徴とする
請求項１３に記載のフレームワーク機構。
【考案の詳細な説明】
【技術分野】
【０００１】
本実用新案はフレームワーク機構に関し、特にスモールフォームファクタプラガブル（ＳＦＰ：Ｓｍａｌｌ  Ｆｏｒｍ−Ｆａｃｔｏｒ  Ｐｌｕｇｇａｂｌｅ）コネクタに用いられ且つインジケータライトを備えたフレームワーク機構に関する。
【背景技術】
【０００２】
光電トランシーバなどの電子モジュールは、電子通信及び光電通信に用いられることが益々多くなる。光通信分野では、光電トランシーバーは、常に光電変換インターフェースの重要なコンポーネントであり、その中、ＳＦＰがネットワーク装置例えばスイッチ、ルーターなどの装置のマザーボードと光ファイバー又はＵＴＰケーブルに接続される。ＳＦＰはいくつかの光ファイバーデバイスプロバイダーにサポートされる工業規格である。ＳＦＰトランシーバーは、ＳＯＮＥＴ、ギガビットイーサネット（Ｇｉｇａｂｉｔ  Ｅｔｈｅｒｎｅｔ）、ファイバーチャネル（Ｆｉｂｅｒ  Ｃｈａｎｎｅｌ）及びいくつかの他の通信規格をサポートする。
【考案の概要】
【考案が解決しようとする課題】
【０００３】
ＳＦＰコネクタはプラグ可能なパッケージに属し、システムにインストールされた後にも挿入及び引替えてもよいが、プラガブルモジュールには、主に、モジュールが挿入及び引き出さる時に直面する電気的な問題、及びプラグ機構の信頼性と利便性を必要以上に考慮する必要がある。現代のビッグデータ伝送がほとんど光電伝送機構及びシステムにより行われるため、各光電システムのスイッチに収容される光電トランシーバの数及び密度が増加し、高密度になるが、従来のＳＦＰコネクタに伝送線の四角コネクタ（Ｓｑｕａｒｅ  Ｃｏｎｎｅｃｔｏｒ）が挿入された後、ＳＦＰコネクタの外観からユーザがその接続状態を知ることができないため、ユーザが操作及び保守することは非常に困難になる。
【課題を解決するための手段】
【０００４】
本実用新案は光電システムに設置可能なフレームワーク機構であり、ケーシングと、該ケーシング内に設置された光学モジュール素子と、第一のフレキシブル回路基板及び複数の発光素子を含み、前記複数の発光素子が該第一のフレキシブル回路基板の一端面に設置され、該第一のフレキシブル回路基板の他端に複数の第一の電気接点が設置されるインジケータライト素子と、該ケーシング内に設置され、且つ複数の第二の電気接点及び複数の第三の電気接点が設置され、前記複数の第二の電気接点が前記複数の第一の電気接点に接続され、前記複数の第三の電気接点が導線を介して該光学モジュール素子に接続される回路基板とを備える。
【０００５】
本実用新案は光電システムに設置可能なフレームワーク機構であり、側壁内に複数の第一のスルーホールが設置され、且つ前記複数の第一のスルーホールのそれぞれにライトガイドコラムが設置され、前記複数の第一のスールホールの一端がその前端に位置するケーシングと、該ケーシング内に設置された光学モジュール素子と、第一のフレキシブル回路基板及び複数の発光素子を含み、前記複数の発光素子が該第一のフレキシブル回路基板の一端面に設置され、該第一のフレキシブル回路基板の他端に複数の第一の電気接点に設置され、前記複数の発光素子がそれぞれ前記複数の第一のスルーホールに対応するインジケータライト素子と、該ケーシング内に設置され、且つ複数の第二の電気接点及び複数の第三の電気接点が設置され、前記複数の第二の電気接点が前記複数の第一の電気接点に接続され、前記複数の第三の電気接点が導線を介して該光学モジュール素子に接続される回路基板とを備える。
【０００６】
現在、本実用新案のこれら及び他のコンポーネント、ステップ、特徴、効果及び利点は、例示的な実施例、添付図面及び実用新案登録請求の範囲に対する以下の詳細な説明から明らかになる。
【図面の簡単な説明】
【０００７】
【図１Ａ】本実用新案の第一の実施例による光電トランシーバの斜視図である。
【図１Ｂ】本実用新案の第一の実施例による光電トランシーバ及び回路基板の組み立て図である。
【図１Ｃ】本実用新案の第一の実施例による光電トランシーバ及び回路基板の組み立て図である。
【図２Ａ】本実用新案の第二の実施例による光電トランシーバ及び回路基板の組み立て図である。
【図２Ｂ】本実用新案の第二の実施例による光電トランシーバ及び回路基板の組み立て図である。
【図２Ｃ】本実用新案の第二の実施例による光電トランシーバの断面斜視図である。
【考案を実施するための形態】
【０００８】
図面でいくつかの実施例が説明されたが、当業者は、説明された実施例が例示的なものであり、且つ本実用新案の範囲内で、示される実施例の変化及び本明細書に記載される他の実施例を構想して実施することができることを理解すべきである。
【０００９】
本実用新案の例示的な実施例が図に示される。それは全ての実施例を説明しない。他の実施例を別に又は代替的に使用することができる。スペースを節約し、又はより効果的に説明するために、明らか又は不要な詳細を省略することができる。逆に、いくつかの実施例を実施するが全ての詳細を開示しない。同じ数字が異なる図面に示される場合、それは同じ又は類似の構成要素又はステップを指す。
【００１０】
以下の説明を添付の図面とともに読む場合、本実用新案の状態をよりよく理解でき、該添付図面の性質は、例示的であるが制限的ではないと見なされるべきである。該図面が必ずしも縮尺に従って描かれず、本実用新案の原理を強調する。
【００１１】
現在、例示的な実施例を説明する。他の実施例を別に又は代替的に使用することができる。スペースを節約し、又はより効果的に示すために、明らか又は不要な詳細を省略することができる。逆に、いくつかの実施例を実施するが全ての詳細を開示しない。
【実施例１】
【００１２】
本実用新案の第一の実施例は図１Ａ、図１Ｂ及び図１Ｃに示される。本実用新案の第一の実施例におけるＳＦＰコネクタ１００は、ケーシング１０、光学モジュール素子１２、回路基板１４、インジケータライト素子１６、固定素子１８、プルロッド１９及びカバー２０を備え、ここで光学モジュール素子１２が光送信機（例えばＴＯＳＡ（ＴＯＳＡ：Ｔｒａｎｓｍｉｔｔｉｎｇ  Ｏｐｔｉｃａｌ  Ｓｕｂ−Ａｓｓｅｍｂｌｙ））、光受信機（例えばＲＯＳＡ（Ｒｅｃｅｉｖｉｎｇ  Ｏｐｔｉｃａｌ  Ｓｕｂ−Ａｓｓｅｍｂｌｙ））又は光送受信機（例えばＢＯＳＡ（Ｂｉ−Ｄｉｒｅｃｔｉｏｎａｌ  Ｏｐｔｉｃａｌ  Ｓｕｂ−Ａｓｓｅｍｂｌｙ））であってもよく、本実用新案では光送受信機が実施例として説明され、また該ケーシング１０及びカバー２０の材質が金属、例えば鉄、亜鉛、鋼、アルミニウム又は銅金属を含む金属又は合金である。該回路基板１４には電気接点１４ａ、電気接点１４ｂ及び電気接点１４ｃを有し、ここで該電気接点１４ａはフレキシブル回路基板（又は導線）（図示せず）を介して該光学モジュール素子１２に接続されてもよく、電気接点１４ｂは該インジケータライト素子１６の電気接点に接続されてもよく、該電気接点１４ｃは外部回路に接続され、ここで該インジケータライト素子１６がフレキシブル回路基板１６ａ及び複数の発光ダイオード（ＬＥＤ：Ｌｉｇｈｔ−ｅｍｉｔｔｉｎｇ  ｄｉｏｄｅ）ランプ１６ｂ（他のタイプの発光素子）を含み、前記複数ＬＥＤランプ１６ｂが該フレキシブル回路基板１６ａに設置され、且つ該フレキシブル回路基板１６ａが回路基板１４の電気接点１４ｂに電気的に接続された複数の電気接点を有し、ここで該ＬＥＤランプ１６ｂが多色ＬＥＤ発光素子であってもよく、即ち同じＬＥＤランプ１６ｂが赤色、緑色、黄色又は青色を表示することができる。該固定素子１８は該光学モジュール素子１２の前端に嵌着され且つケーシング１０の前縁のスペースに係合される。また、該プルロッド１９は該ケーシング１０の前縁に枢動可能に設置され、該プルロッド１９は、ロック解除の目的でハウジング１０に対して回転することができる。
【００１３】
該光学モジュール素子１２、該回路基板１４、該インジケータライト素子１６、該固定素子１８及び該プルロッド１９が該ケーシング１０にインストールされた場合、ネジ素子１１によって該カバー２０を該ケーシング１０にロックし、ケーシング１０内の光学モジュール素子１２、該回路基板１４及び該インジケータライト素子１６を保護し、該カバー２０にスライドブロック１５が設置され、該スライドブロック１５にスールホール１５ａが設置され、該カバー２０が該ケーシング１０にロックされる場合、該プルロッド１９のバンプ１９ａが該スールホール１５ａを貫通し、該プルロッド１９が回転する場合、該プルロッド１９のバンプ１９ａが該スライドブロック１５を押して水平に移動してケーシング１０上の係合部（図示せず）を押し、そのＳＦＰコネクタ１００のロックを解除し、これにより該ＳＦＰコネクタ１００は光電システムのスイッチから取り外すことができる。
【００１４】
本実用新案の第一の実施例におけるケーシング１０の一側壁に第一のスールホール１０ａ、第二のスールホール１０ｂを有し、且つケーシング１０の前端に複数のスールホール１０ｃを有し、該インジケータライト素子１６のフレキシブル回路基板１６ａが第一のスールホール１０ａ及び第二のスールホール１０ｂを貫通することができ、これにより前記複数のＬＥＤランプ１６ｂがそれぞれ前記複数のスールホール１０ｃに位置合わせし、該フレキシブル回路基板１６ａの一部がケーシング１０の該側壁に露出し、また、ケーシング１０の外面（例えば該ケーシング１０を包む底面及び両側の面）に設置されたコ字形のバックルピースを使用してケーシング１０の該側壁に露出したフレキシブル回路基板１６ａを覆うことができ、該コ字形のバックルピースの一端がケーシング１０の一側壁（第一のスールホール１０ａ及び第二のスールホール１０ｂがない側壁）に係合され、該コ字形のバックルピースの他端に長方形のカバーがあってケーシング１０の該側壁に露出したフレキシブル回路基板１６ａを覆う。又は該コ字形のバックルピースはカバー２０及びケーシング１０の二つの側面に設置されてもよい。次に、光電システムが操作される場合、ＳＦＰコネクタ１００はインジケータライト素子１６の前記複数のＬＥＤランプ１６ｂを介し、ＳＦＰコネクタ１００の異なる状態を表すための異なる色又は異なる色の組み合わせを発することができ、例えば一つのＬＥＤランプ１６ｂが緑色を表示する場合、接続状態が正常であることを示し、ＬＥＤランプ１６ｂが赤色を表示する場合、接続状態が正常ではないことを示し、ＬＥＤランプ１６ｂが青色を表示する場合、データが伝送されていることを示す。
【実施例２】
【００１５】
本実用新案の第二の実施例が図２Ａ、図２Ｂ及び図２Ｃに示される。本実用新案の第二の実施例におけるＳＦＰコネクタ３００はケーシング３０、光学モジュール素子３２、回路基板３４、インジケータライト素子３６、複数のライトガイドコラム３７、固定素子３８、プルロッド３９及びカバー４０を備え、ここで光学モジュール素子３２、回路基板３４、インジケータライト素子３６、プルロッド３９及びカバー４０の説明がそれぞれ第一の実施例における光学モジュール素子１２、回路基板１４、固定素子１８、プルロッド１９及びカバー２０と同じ、上記第一の実施例の関連説明を参照する。
【００１６】
本実施例の第一の実施例との違い点は、ケーシング３０の構造、ライトガイドコラム３７及びインジケータライト素子３６がケーシング３０に設置される方式にあり、ここでケーシング３０にバッフルプレート３３があり且つケーシング３０の側壁内に２つのコーン型スールホール３０ａ及び３０ｂが設置され、該コーン型スールホール３０ａ及び３０ｂの一端がケーシング３０の前端に露出し、該コーン型スールホール３０ａ及び３０ｂの他端がバッフルプレート３３の前に露出する前に、且つ該バッフルプレート３３と該コーン型スールホール３０ａ及び３０ｂを露出する側壁面の間に収容スペース３０ｃがあり、該収容スペース３０ｃの幅が２ミリメートル（ｍｍ）〜5ｍｍ又は１ｍｍ〜１０ｍｍである。該収容スペース３０ｃはインジケータライト素子３６を設置に用いられることができる。本実施例におけるインジケータライト素子３６は同様にフレキシブル回路基板１６ａ及び複数のＬＥＤランプ１６ｂを含み、一部のフレキシブル回路基板１６ａ及び複数のＬＥＤランプ１６ｂはバッフルプレート３３に当接することができ、フレキシブル回路基板１６ａを凹形に折り畳ませて一部のフレキシブル回路基板１６ａ及び前記複数のＬＥＤランプ１６ｂが収容スペース３０ｃ内に配置されてもよく、且つ前記ＬＥＤランプ１６ｂはそれぞれ該コーン型スールホール３０ａ及び３０ｂに位置合わせすることができ、フレキシブル回路基板１６ａの他端が該回路基板３４の電気接点１４ｂに電気的に接続され、該回路基板３４の電気接点１４ａは同様にフレキシブル回路基板（図示せず）を介して該光学モジュール素子３２を接続するが、該回路基板３４の電気接点１４ｃは同様に外部回路に接続される。また、前記複数のライトガイドコラム３７はそれぞれ該ケーシング３０のコーン型スールホール３０ａ及び３０ｂを貫通することができ、該ライトガイドコラム３７は透明なポリマー例えばアクリルプラスチックで形成される。
【００１７】
光電システムが操作される場合、ＳＦＰコネクタ１００はインジケータライト素子３６の前記複数のＬＥＤランプ１６ｂを介し、ＳＦＰコネクタ１００の異なる状態を表すための異なる色又は異なる色の組み合わせを発することができ、且つライトガイドコラム３７の伝送により、前記複数のＬＥＤランプ１６ｂから放出された光信号がケーシング３０の前端に伝導されてもよく、操作者はＳＦＰコネクタ１００の接続状態又は伝送状態をより容易且つ明確に見る。
【００１８】
本実用新案の実施例を示して説明したが、一般的な当業者は、本実用新案の原理及び精神から逸脱することなく、これらの実施形態に対して変更を行うことができることを理解することができる。本実用新案の適用範囲は添付の実用新案登録請求の範囲及びその同等物によって限定される。本実用新案の実用新案登録請求の範囲は、実用新案登録許請求された出願実用新案登録範囲によって定義されるべきである。注意すべきものとして、単語「含む」は他の素子を除外せず、単語「一」は複数を除外しない。
【００１９】
特に明記しない限り、本明細書（実用新案登録請求の範囲を含む）に記載される全ての測定、値、レベル、位置、測定値、サイズ及びその他の規格は近似であるが正確ではない。上記は、その関連機能且つその当業者と一致する合理的な範囲を有することを意図する。
【符号の説明】
【００２０】
図面記号リスト：１００−ＳＦＰコネクタ、１０−ケーシング、１２−光学モジュール素子、１４−回路基板、１６−インジケータライト素子、１８−固定素子、１９−プルロッド、２０−カバー、１４ａ−電気接点、１４ｂ−電気接点、１４ｃ−電気接点、１６ａ−フレキシブル回路基板、１６ｂ−発光ダイオード、１５−スライドブロック、１９ａ−バンプ、１５ａ−スールホール、１０ａ−スールホール、１０ｂ−スールホール、１０ｃ−スールホール、３０−ケーシング、３２−光学モジュール素子、３４−回路基板、３６−インジケータライト素子、３７−ライトガイドコラム、３８−固定素子、３９−プルロッド、４０−カバー、３３−バッフルプレート、３０ａ−コーン型スールホール、３０ｂ−コーン型スールホール、１１−ネジ素子
【図１Ａ】
0003226002.tif 000003
【図１Ｂ】
0003226002.tif 000004
【図１Ｃ】
0003226002.tif 000005
【図２Ａ】
0003226002.tif 000006
【図２Ｂ】
0003226002.tif 000007
【図２Ｃ】
0003226002.tif 000008
【手続補正書】
【提出日】令和2年2月14日(2020.2.14)
【手続補正１】
【補正対象書類名】実用新案登録請求の範囲
【補正対象項目名】全文
【補正方法】変更
【補正の内容】
【実用新案登録請求の範囲】
【請求項１】
光電システムに設置可能なフレームワーク機構であって、
ケーシングと、
該ケーシング内に設置された光学モジュール素子と、
第一のフレキシブル回路基板及び複数の発光素子を含み、前記複数の発光素子が該第一のフレキシブル回路基板の一端面に設置され、該第一のフレキシブル回路基板の他端に複数の第一の電気接点が設置されるインジケータライト素子と、
該ケーシング内に設置され、且つ複数の第二の電気接点及び複数の第三の電気接点が設置され、前記複数の第二の電気接点が前記複数の第一の電気接点に接続され、前記複数の第三の電気接点が導線を介して該光学モジュール素子に接続される回路基板とを備える、前記フレームワーク機構。
【請求項２】
該発光素子は多色ＬＥＤ発光素子を含むことを特徴とする
請求項１に記載のフレームワーク機構。
【請求項３】
該光学モジュール素子は光送受信機を含むことを特徴とする
請求項１に記載のフレームワーク機構。
【請求項４】
該光学モジュール素子は光送信機を含むことを特徴とする
請求項１に記載のフレームワーク機構。
【請求項５】
該ケーシングの側壁内に複数のスルーホールが設置され、且つ前記複数のスルーホールのそれぞれにライトガイドコラムが設置され、前記複数のスルーホールの一端がその前端に位置し、前記複数のスルーホールの他端が該発光素子に対応し、該発光素子が光信号を発する場合、該ライトガイドコラムを介して該光信号を該ケーシングの前端に伝送することを特徴とする
請求項１に記載のフレームワーク機構。
【請求項６】
該ライトガイドコラムの材質は透明なポリマーであることを特徴とする
請求項５に記載のフレームワーク機構。
【請求項７】
該ケーシングの第一の側壁内に複数の第一のスールホールが設置され、前記複数の第一のスールホールが該第一のフレキシブル回路基板の貫通に使用可能で、これにより、該第一のフレキシブル回路基板における前記複数の発光素子が該ケーシングの前端に設置されることを特徴とする
請求項１に記載のフレームワーク機構。
【請求項８】
該ケーシングは前記複数の発光素子を露出するための複数の第二のスールホールを有することを特徴とする
請求項７に記載のフレームワーク機構。
【請求項９】
プルロッドとスライドブロックをさらに備え、該プルロッドが該ケーシングの前端に枢動可能に接続され、該プルロッドが該ケーシングに対して回転することができ、該スライドブロックが該ケーシングに設置されていて、該スライドブロックに一つのスールホールを有し、該プルロッドのバンプが設置されていて、該プルロッドが該ケーシングに対して回転することができる場合、該バンプが該スライドブロックを押して移動することを特徴とする
請求項１に記載のフレームワーク機構。
【請求項１０】
該回路基板は外部回路に接続するための複数の第三の電気接点をさらに含むことを特徴とする
請求項１に記載のフレームワーク機構。
【請求項１１】
該ケーシングの外面に設置され、一端がケーシングの第一の側壁に係合され、他端に該第一のフレキシブル回路基板を覆うためのカバーがあるコ字形のバックルピースをさらに備えることを特徴とする
請求項１に記載のフレームワーク機構。
【請求項１２】
該ケーシングの外面に設置され、一端がケーシングの第二の側壁に係合され、他端に該第一の側壁に位置する該第一のフレキシブル回路基板を覆うためのカバーがあるコ字形のバックルピースをさらに備えることを特徴とする
請求項７に記載のフレームワーク機構。
【請求項１３】
光電システムに設置可能なフレームワーク機構であって、
側壁内に複数の第一のスルーホールが設置され、且つ前記複数の第一のスルーホールのそれぞれにライトガイドコラムが設置され、前記複数の第一のスルーホールの一端が該ケーシングの前端に位置するケーシングと、
該ケーシング内に設置された光学モジュール素子と、
第一のフレキシブル回路基板及び複数の発光素子を含み、前記複数の発光素子が該第一のフレキシブル回路基板の一端面に設置され、該第一のフレキシブル回路基板の他端に複数の第一の電気接点が設置され、前記複数の発光素子がそれぞれ前記複数の第一のスルーホールに対応するインジケータライト素子と、
該ケーシング内に設置され、且つ複数の第二の電気接点及び複数の第三の電気接点が設置され、前記複数の第二の電気接点が前記複数の第一の電気接点に接続され、前記複数の第三の電気接点が導線を介して該光学モジュール素子に接続される回路基板とを備える、前記フレームワーク機構。
【請求項１４】
該発光素子は多色ＬＥＤ発光素子を含むことを特徴とする
請求項１３に記載のフレームワーク機構。
【請求項１５】
該光学モジュール素子は光送受信機を含むことを特徴とする
請求項１３に記載のフレームワーク機構。
【請求項１６】
該光学モジュール素子は光送信機を含むことを特徴とする
請求項１３に記載のフレームワーク機構。
【請求項１７】
該ライトガイドコラムの材質は透明なポリマーであることを特徴とする
請求項１３に記載のフレームワーク機構。
【請求項１８】
プルロッドとスライドブロックをさらに備え、該プルロッドが該ケーシングの前端に枢動可能に接続され、該プルロッドが該ケーシングに対して回転可能で、該スライドブロックが該ケーシングに設置されていて、該スライドブロックに一つのスールホールを有し、該プルロッドのバンプが設置されていて、該プルロッドが該ケーシングに対して回転することができる場合、該バンプが該スライドブロックを押して移動することを特徴とする
請求項１３に記載のフレームワーク機構。
【請求項１９】
該回路基板は外部回路に接続するための複数の第三の電気接点をさらに含むことを特徴とする
請求項１３に記載のフレームワーク機構。